(57)【要約】【課題】着座による荷重など、身体の様々な動きによって加わる力によっても変形しにくく、通気性を維持できる吸収性物品を提供する。【解決手段】液透過性の表面シート１４と、液不透過性の裏面シート１２と、前記表面シート１４と前記裏面シート１２との間に配される吸収体１３とを有する吸収性物品１であって、前記表面シート１４側に、通気溝形成領域Ｎ１を備え、前記通気溝形成領域Ｎ１は、側壁２２ａと底壁２２ｂとを有する通気溝２１を含み、前記通気溝２１は、前記表面シート１４と前記吸収体１３が一体的に接合され、前記通気溝２１は圧搾した凹部２２と、前記凹部の周囲の前記吸収体が押し下げられた窪み部分２３とを含み、前記凹部２２の下部全域に前記吸収体１３が存在することを特徴とする。【選択図】図５
2019069379.tif 000002
【特許請求の範囲】
【請求項１】
液透過性の表面シートと、液不透過性の裏面シートと、前記表面シートと前記裏面シートとの間に配される吸収体とを有する吸収性物品であって、
前記吸収性物品は、前記表面シート側に、通気溝形成領域を備え、
前記通気溝形成領域は、側壁と底壁とを有する通気溝を含み、
前記通気溝は、前記表面シートと前記吸収体が一体的に接合され、
前記通気溝は、圧搾した凹部と、前記凹部の周囲の前記吸収体が押し下げられた窪み部分とを含み、
前記凹部の下部全域に前記吸収体が存在することを特徴とする吸収性物品。
【請求項２】
前記通気溝形成領域は、前記吸収性物品の中央部に形成されていることを特徴とする請求項１に記載の吸収性物品。
【請求項３】
前記通気溝は、接着剤によって、前記表面シートが前記吸収体に固定されていることを特徴とする請求項１または２に記載の吸収性物品。
【請求項４】
前記通気溝は、前記通気溝形成領域を間欠的または連続的に横切って形成されていることを特徴とする請求項１ないし３のいずれかに記載の吸収性物品。
【請求項５】
前記通気溝は、前記吸収性物品が着用された際に、着用者の腹側から股下を通り背側にいたる仮想線に対して傾斜する方向に延びることを特徴とする請求項１ないし４のいずれかに記載の吸収性物品。
【請求項６】
前記通気溝は、前記仮想線に対して一方側に傾斜する第１方向に延びる第１通気溝と、他方側に傾斜する第２方向に延びる第２通気溝とを備えることを特徴とする請求項５に記載の吸収性物品。
【請求項７】
前記第１通気溝及び前記第２通気溝は、前記仮想線に対して１０度以上８０度未満の範囲で傾斜している請求項６に記載の吸収性物品。
【請求項８】
同方側に傾斜し、かつ隣接する前記第１通気溝もしくは前記第２通気溝は、１０ｍｍ以上１００ｍｍ未満の間隔を有する請求項６または７に記載の吸収性物品。
【請求項９】
前記通気溝形成領域は、前記仮想線に直交する幅方向の吸収性物品両端に、達していないことを特徴とする請求項５ないし８のいずれかに記載の吸収性物品。
【請求項１０】
前記幅方向における前記通気溝形成領域の長さの割合は、３０％以上８０％以下であることを特徴とする請求項９に記載の吸収性物品。
【請求項１１】
前記通気溝形成領域の上に載置され、鉛直方向に延び内径２６ｍｍのシリンジ内の上点から下点までの水風船の通過時間を平面通気度とすると、該平面通気度が３秒以下であることを特徴とする請求項１ないし１０のいずれかに記載の吸収性物品。
【請求項１２】
前記吸収体が前身頃、股下、後身頃にわたって延在する大きさの使い捨ておむつであることを特徴とする請求項１ないし１０のいずれかに記載の吸収性物品。
【請求項１３】
前記通気溝形成領域は、前記前身頃の側端及び前記後身頃の側端に達していないことを特徴とする請求項１２に記載の吸収性物品。
【発明の詳細な説明】
【技術分野】
【０００１】
本発明は、吸収性物品に関し、特に、使い捨ておむつに関する。
【背景技術】
【０００２】
使い捨ておむつ（以下、単に「おむつ」とも言う）等の吸収性物品においては、さまざまな改良が行われ、その機能や着用感の向上が図られている。
【０００３】
使い捨ておむつ等の吸収性物品は、吸収体によって排出された体液のほとんどを吸収する。ここで、吸収性物品と身体との隙間があると、体液が外に流れ出て、漏れを引き起こすこととなるので、密着性は、吸収性物品に求められる機能の一つとして重要である。しかしながら、特に、吸収性物品が体液を吸収した後は、皮膚と吸収性物品との間の空間が多湿となる一方、吸収性物品が密着しているので通気性が悪い。したがって、吸収性物品は密着性とともに、通気性も必要とされる。特におむつは、腹、尻及び股部分等下腹部全体を覆う被覆面積が広いものであり、かつ、尿などの大量の体液を吸収して蒸れやすいので、通気性が要求される。
【０００４】
吸収性を確保しつつ、蒸れを抑制したものとして、特許文献１に見られるように、吸収性物品の肌に直接触れる表面シートに、千鳥状パターンなど規則的な凹凸を形成し、肌に凸部分の先端が接触することにより、凹凸が無いものに比べて、肌との接触面積を低減して、蒸れやかぶれを抑制するものが記載されている。
【先行技術文献】
【特許文献】
【０００５】
【特許文献１】特開２００３−２７５２３９号公報
【発明の概要】
【発明が解決しようとする課題】
【０００６】
しかしながら、おむつは、おしりや股下など、着座圧が加わる部分を被覆しており、吸収体、表面シートには、頻繁に着座による圧力が加わっている。
【０００７】
特許文献１に記載の発明における表面シートは、不織布から構成されており、この不織布にエンボス加工を加えて凹凸を形成したものである。表面シート自体は、さほど厚いものでないので、この凹凸の高低差もわずかなものである。したがって、着座時の荷重により、部分的に凸部分がつぶれてしまい、凹凸加工による通気性の効果が得られない場合があった。特におむつは、おしり、股下など、着座時の荷重が大きく加わる部分を被覆するものであるから、生理用ナプキンに比べて着座圧による変形が問題となる。
【０００８】
本発明は、着座による荷重など、身体の様々な動きによって加わる力によっても変形しにくく、通気性を維持できる吸収性物品を提供することを課題とする。
【課題を解決するための手段】
【０００９】
本発明の吸収性物品は、液透過性の表面シートと、液不透過性の裏面シートと、表面シートと裏面シートとの間に配される吸収体とを有する吸収性物品であって、吸収性物品は、表面シート側に、通気溝形成領域を備え、通気溝形成領域は、側壁と底壁とを有する通気溝を含み、通気溝は、表面シートと吸収体が一体的に接合され、前記通気溝は、圧搾した凹部と、前記凹部の周囲の前記吸収体が押し下げられた窪み部分とを含み、前記凹部の下部全域に前記吸収体が存在することを特徴とする。
【００１０】
また、通気溝形成領域は、吸収性物品の中央部に形成されているものであってもよい。
【００１１】
また、通気溝は、接着剤によって、表面シートが前記吸収体に固定されている。
【００１２】
また、通気溝は、通気溝形成領域を間欠的または連続的に横切って形成されており、特に、吸収性物品が着用された際に、着用者の腹側から股下を通り背側にいたる仮想線に対して傾斜する方向に延びるものであってもよい。
【００１３】
加えて、通気溝は、仮想線に対して一方側に傾斜する第１方向に延びる第１通気溝と、他方側に傾斜する第２方向に延びる第２通気溝とを備えるものであってもよい。
【発明の効果】
【００１４】
本発明の吸収性物品は、表面シートと吸収体とを一体的に接合して形成した通気溝を備えているため、着座圧によっても通気溝がつぶれることなく、通気性を維持できる。
【図面の簡単な説明】
【００１５】
【図１】本発明による吸収性物品を展開型使い捨ておむつに応用した実施形態１の外観を示す立体投影図である。
【図２】図１に示したおむつを着用した下半身を背中側から見た立体投影図である。
【図３】図１に示したおむつを展開して分解状態で示す立体投影図である。
【図４】図１に示したおむつのトップシートを上とした部分上面図である。
【図５】図４に示したおむつの断面図である。
【図６】図１に示したおむつの通気溝部分の一例を示す拡大図である。
【図７】図６のＶＩＩ−ＶＩＩ線断面図である。
【図８】図６のＶＩＩＩ−ＶＩＩＩ線断面図である。
【図９】通気溝パターンの変形例を示す部分上面図である。
【図１０】通気溝パターンの変形例を示す部分上面図である。
【図１１】通気溝パターンの変形例を示す部分上面図である。
【図１２】おむつの通気度を測定する測定装置を示す斜視図である。
【発明を実施するための形態】
【００１６】
本発明による吸収性物品の実施形態について、図１から図１２を参照しながら詳細に説明する。
【００１７】
本発明を展開型使い捨ておむつに応用した実施形態１の外観において、正面側から見た立体投影図を図１に示し、背面側から見た立体投影図を図２に示す。図２は、この展開型使い捨ておむつを乳幼児が着用した際の背中側から見た下半身姿を示すものである。さらに、図１，図２に示す展開型使い捨ておむつを破断展開した分割状態にて図３に示す。
【００１８】
本実施形態における展開型使い捨ておむつ（以下、単におむつと記述する場合がある）１０は、前身頃領域１０Ｆと、後身頃領域１０Ｒと、これら前身頃領域１０Ｆおよび後身頃領域１０Ｒをつなぐ股下領域１０Ｃとを有する。また、着用時に前身頃領域１０Ｆと後身頃領域１０Ｒとで着用者のウエストの部分を取り囲むウエスト周り開口部１０Ｗが形成されている。同様に、前身頃領域１０Ｆおよび後身頃領域１０Ｒの下端部股下領域１０Ｃとで着用者の両脚の太股部分を取り囲む左右一対の脚周り開口部１０Ｌが形成されている。
【００１９】
図２に示すように、着用時に前身頃領域１０Ｆは、着用者の腹側に位置し、後身頃領域１０Ｒは着用者の背側に位置する。そして、股下領域１０Ｃは、着用者の股下を覆い、左右一対の脚周り開口部１０Ｌに、着用者の脚がそれぞれ通された形となる。したがって、脚周り開口部１０Ｌは、着用者の両脚の付け根から太ももあたりのいずれかに位置することとなる。
【００２０】
また、おむつの後身頃領域１０Ｒには、おむつ廃棄時に小さく丸めて止めるための廃棄テープ１０Ｔが設けられている。
【００２１】
仮想線Ｐは、おむつ中央部において腹側から背側に向かって、股下部分を通って延びるものである。具体的には、仮想線Ｐは、例えば、おむつのウエスト側を上、股下側を下とすると、おむつ表面に沿って、かつ上下方向に延びると共に、股下部分を経由して、背側においても上下方向に延びるものである。言い換えれば、この上下方向とは、着用者の頭から股下への体の中心軸に沿う方向であり、仮想線Ｐは、体の中心軸に沿って延びるものである。
【００２２】
図３に示すように、本実施形態におけるおむつ１０は、外側から順にカバーシート１１と、バックシート１２と、吸収体１３と、着用者の肌に触れるトップシート１４とを順に重ねて接合したものである。さらに、カバーシート１１は、バックシート１２の下に重ねられるパッドカバーシート１１Ａとインナーカバーシート１１Ｂ、アウターカバーシート１１Ｃに細分され、いずれも良好な手触りを得るために薄い不織布で形成されている。おむつ１０の前身頃領域１０Ｆおよび後身頃領域１０Ｒを画成するインナーカバーシート１１Ｂ、アウターカバーシート１１Ｃの左右両側縁部が相互に接合されて閉じ合わせ部１０Ｊを形成している。これにより、先のウエスト周り開口部１０Ｗが画成される。インナーカバーシート１１Ｂ、アウターカバーシート１１Ｃは、股下領域１０Ｃ部分で二つに分離されており、股下部分は、パッドカバーシート１１Ａが露出することとなる。したがって、両脚の太股部分を取り囲む左右一対の脚周り開口部１０Ｌは、このパッドカバーシート１１Ａの端部と閉じ合わせ部１０Ｊの端部とによって画成される。液不透過性のバックシート１２は、パッドカバーシート１１Ａに接合され、先の吸収体１３は、このバックシート１２と液透過性のトップシート１４との間に配され、この吸収体１３を介してトップシート１４がバックシート１２に接合される。なお、インナーカバーシート１１Ｂ、アウターカバーシート１１Ｃは、股下部分も連続した１枚のものであってもよい。また、脚周り開口部１０Ｌは、糸ゴムによるギャザーが寄せられた形となっていてもよい。
【００２３】
図４は、おむつ１０の股下部分を、トップシート１４側から見た部分上面図である。
【００２４】
トップシート１４の下に位置する本実施形態の吸収体１３は、主にパルプと高吸水性樹脂（Ｓｕｐｅｒ  Ａｂｓｏｒｂｅｎｔ  Ｐｏｌｙｍｅｒ、以下「ＳＡＰ」とも言う）とからなるものである。吸収体１３は、前身頃、股下、後身頃にわたるように、細長い形状をしている。そして、前身頃部分Ｍ１、股下部分Ｍ２、後身頃部分Ｍ３に三区分されている。股下部分Ｍ２には、両脚の太股部分を取り囲む左右一対の脚周り開口部１０Ｌに合わせて、円弧状をなす一対の切欠き部１３Ａが形成されている。なお、この切欠き部１３Ａは、吸収体１３の大きさに応じて形成しなくてもよい。また、本実施形態の吸収体１３は、切欠き部１３Ａが設けられており、中央部の幅が前後端に比べて狭い砂時計型のものであるが、本発明の吸収体の形状はこれに限らない。前身頃部分から後身頃部分を前後（上下）方向とし、それに直交する方向を左右方向とすると、例えば、前後（上下）端の角が丸く落とされているもの、前後（上下）に延びる楕円形のもの、円形のもの、前後（上下）左右の長さが同程度の矩形のものなど、さまざまな形状を含む。
【００２５】
そして、図４に示すように、トップシート１４表面から吸収体１３に向かって規則的なエンボス加工を施すことにより、複数の通気溝２１が形成されている。本実施形態において、通気溝２１は、吸収体１３の幅方向（図４における左右方向）の端部まで形成されているのではなく、中央部に帯状に形成されている。通気溝２１が形成されている領域を通気溝形成領域Ｎ１とし、両端部の通気溝２１が形成されていない領域を通気溝非形成領域Ｎ２とする。通気溝２１は、少なくとも中央部に設けられていれば、溝が無いものに比べて通気性の効果を得られる。また、通気溝２１は、吸収体１３の端部まで設けられていてもよいのは言うまでもない。したがって、本発明は、通気溝非形成領域Ｎ２を設けない構成であってもよい。
【００２６】
図５は、斜め格子状に延びる通気溝２１の断面を示す図である。通気溝２１は、トップシート１４の肌に接する面（肌当接面）からトップシート１４と吸収体１３とをともに圧搾することにより形成される。具体的には表面シート１４の吸収体１３と接する面には接着剤が塗布され、トップシート１４と吸収体１３とをともにエンボス加工によって圧搾される。これにより、通気溝２１の底面（底壁）２２ａから壁面（側壁）２２ｂにわたる溝全体において、トップシート１４と吸収体１３がかみ合い、一体的に接合される。また通気溝２１の底部分におけるトップシート１４と吸収体１３とからなる厚さは、圧搾しない場合の厚さの１／６である。したがって、深さは、トップシート１４と吸収体１３とを積層した元の厚さの約８割に相当し、トップシート１４のみに凹凸をつけた場合に比べて、深いものとなる。圧搾による吸収体の圧縮率は約４倍〜７倍程度が好ましい。
【００２７】
このように、通気溝２１を深くかつ、壁面２２ｂがトップシート１４と吸収体１３が一体的に接合されたものとすることにより、トップシートのみの凹凸に比べて深く、かつ強固なものとなる。したがって、着座の荷重においても簡単に溝２１の壁面２２ｂ部分がつぶれて溝２１が埋まることがない。
【００２８】
また、溝２１を形成することにより、おむつの肌に触れる面において、吸収体１３に渡る空隙が間欠的に形成されることになるため、この空隙による十分な通気が確保できる。
【００２９】
なお、溝２１における側壁２１ｄは、図５のように、底壁２１ｃに直交して延びるものであってもよいし、斜めに傾いたものであってもよい。すなわち、溝２１は底に向かって狭くなる断面がＶ字状のものなどであってもよい。
【００３０】
ここで、通気溝２１は一定圧力で圧搾し続けた連続する溝構造であってよいし、複数のドットなどのエンボスパターンを並べて形成したものであってもよい。
【００３１】
図６は、図４における通気溝形成領域Ｎ１と通気溝非形成領域Ｎ２とにまたがる、一点鎖線で示す範囲Ｑにおいて、通気溝２１を複数のドット状のエンボスパターンによって形成した例を示す。
【００３２】
ドット状のエンボスパターンによって、トップシート１４表面から吸収体１３に向かって間欠的に圧搾した凹部２２を配列する。この凹部２２をある程度の間隔で配列することにより、凹部２２近傍の吸収体は押し下げられて、エンボスパターンがない部分（以下、「主吸収領域」とも言う）２４よりも凹んだ窪み部分２３となる。したがって、凹部２２を連続して形成することにより、凹部２２と窪み部分２３とによる通気溝２１が形成されることとなる。
【００３３】
通気溝２１の幅Ｌ１は、約６ｍｍ、また隣接する凹部の中心間距離Ｌ２は約６ｍｍである。１ｍｍ≦Ｌ１≦８ｍｍ、１ｍｍ≦Ｌ２≦８ｍｍの範囲が好ましい。
【００３４】
主吸収領域２４中央の圧搾されていない吸収体１３の厚みが３〜３．６ｍｍ、密度は０．１６ｇ／ｃｍ3であるとき、凹部２２の吸収体１３の厚みは０．５〜０．６ｍｍで、密度は０．９６ｇ／ｃｍ3である。窪み部分２３の吸収体１３の厚みは１〜１．２ｍｍで、密度０．４８ｇ／ｃｍ3である。このように、凹部２２と主吸収領域２４中央の吸収体の密度差が６倍程度である時、凹部２２と窪み部分２３の密度差が２〜３倍程度に収まるように、凹部の配置間隔Ｌ２を調整することが望ましい。
【００３５】
このような、間欠的なエンボス加工による溝２１の場合においても、圧縮率は、凹部２２の部分で約４〜７倍 程度が好ましい。凹部２２間の隙間２３部分についても吸収体１３が十分に圧縮するような圧縮率で、凹部２２は圧搾されるのが好ましい。なお、実施形態１と同様、圧縮率は、この範囲に限定されるものではなく、吸収体１３の材質や吸収する液体に応じて、他の範囲も含むものである。
【００３６】
図７は、図６におけるＶＩＩ−ＶＩＩ線での断面図である。
【００３７】
図７に示すように、エンボス加工は、トップシート１４と吸収体１３との間に接着剤を介在させて、トップシート１４表面からトップシート１４と吸収体１３とを共に圧搾するものであり、トップシート１４と吸収体１３とが凹部２２において、完全に密着した状態となっている。具体的には、圧搾により、トップシート１４の一部の繊維が吸収体１３の表面繊維とかみ合った状態となっている。したがって、圧搾によって連続した通気溝２１を形成した時と同様に、凹部２２および窪み部分２３の深さは十分に深く、着座の荷重においても簡単につぶれて埋まることがないものとなる。
【００３８】
図８は、図６におけるＶＩＩＩ−ＶＩＩＩ線での断面図である。
【００３９】
図８に示すように、窪み部分２３は、凹部２２よりは高い位置にあるが、通気溝２１が形成されていない箇所よりは低い位置となる。したがって、凹部２２を所定間隔で形成することにより、連続したエンボス加工と同様に、斜めに延びる溝を形成することができる。
【００４０】
また、図４に戻り、本実施形態の通気溝２１は、吸収体の幅方向における、一方側（図中、向かって右側）に傾斜して延びる第１通気溝２１ａと、他方側（図中、向かって左側）に傾斜して延びる複数の第２通気溝２１ｂとによって構成される。仮想線Ｐの吸収体１３上での位置は、前身頃部分Ｍ１上端から後身頃部分Ｍ３下端に向かって延びるものとなる。具体的には、図４に示すように、吸収体１３が細長い形状である場合、長手方向に延びるものである。通気溝２１は、この仮想線Ｐに対して傾斜して延びる。すなわち、仮想線Ｐを軸として側辺に沿った方向、例えば、長手方向に対し、第１通気溝２１ａは、一方側に角度αで傾斜し、第２通気溝２１ｂは、他方側に角度βで傾斜する。角度αと角度βは同一であってもよいし、異なっていてもよい。また、図４では、複数の第１通気溝２１ａはそれぞれ同じ角度で傾斜し、一定間隔で配置されている。すなわち、各第１通気溝２１ａが平行かつ一定間隔で配置されているが、が、本発明はこれに限らず、溝の間隔が一定でないものや、各溝の傾斜角度が異なるものも含む。第２通気溝２１ｂについても同様である。
【００４１】
なお、吸収体１３は細長い形状に限らず、正方形など縦横の長さが同じものであってもよい。この場合も、側辺に沿った方向に対して、第１通気溝２１ａ、第２通気溝２１ｂは傾斜して延びるものである。
【００４２】
通気溝２１を仮想線Ｐに対して傾斜させて設けることにより、身体の様々な動きによっても通気性を確保することができる。
【００４３】
すなわち、身体の動きに応じておむつには様々な方向に力が加わるが、なかでも歩行や赤ちゃんのハイハイなどの脚の前後運動による引っ張り力の影響は大きい。脚を左右交互に前に出すため、股下部分は斜めに引っ張られることとなる。したがって、吸収体が斜めによれて変形しやすい。特に、おむつは、尿を吸って膨らむと、より皮膚に張り付いて蒸れやすくなる。さらに、脚の前後運動によって、よれて股間の中央部分に偏ってしまうと、股間部分の通気性が低下することとなる。
【００４４】
しかしながら、本実施形態のおむつは、トップシート１４と吸収体１３とを共に圧搾した通気溝２１を斜めに延ばすことにより、脚の前後方向の動きによっても吸収体１３の変形を抑制する。さらに、尿を含んで吸収体１３が膨らんだとしても、斜め方向に一定間隔で配置された通気溝によって、常に肌との間に隙間が維持され、通気が確保される。また、通気溝２１で取り囲まれた主吸収領域２４が膨らむので、吸収体１３が尿を含んで膨らんだとしても、斜め方向に主吸収領域２４の区画が並んだ状態で膨らむ。脚の動きによっておむつが斜めに引っ張られても、通気溝２１によって主吸収領域２４が斜め方向に分割されているので、肌に隙間を持って接触することとなる。そして、常に斜め方向に通気路が確保されることとなる。したがって、常に、股間部分の通気性が良好な状態を維持できる。
【００４５】
例えば、通気溝が仮想線Ｐに沿った方向だけであったとすると、通気溝に取り囲まれた部分は縞状となる。縞状の部分内部の吸収体は、脚の前後運動による斜め方向の力によって切れたり、よれたりする。そうすると、尿を吸っても、吸収体の切れたところで尿が滞って、大きく膨らみ、皮膚に張り付くこととなる。したがって、通気溝があったとしても大きく膨らんだ吸収体が遮蔽して、股間全体への空気の流れが生まれにくくなり、斜め方向の溝に比べて通気性が低下する。このように、斜め方向の通気溝２１は、脚の前後運動によっても通気を確保できるとともに、吸収体１３のよれや切れを防ぎ、股間部分を快適な状態に維持する上で効果的である。
【００４６】
なお、通気溝２１は、おむつの端部までは延びていないものでもよい。
【００４７】
（変形例）
通気溝２１は、斜め格子状だけでなく、図９に示すようにハニカム状であってもよい（変形例１）。この場合も、間欠的ではあるが、斜めの通気溝２１が形成されるため、脚の前後運動による吸収体１３のよれを抑制し、尿を含んで膨らんだ場合も脚の動きを阻害せずに、通気性を確保できる。
【００４８】
また、図１０に示すように、排尿位置２５には、肌触り感を優先して、通気溝２１を設けない構成であってもよい（変形例２）。通気性は、排尿位置に通気溝２１が設けられたもの（例えば、図４に示すもの）に比べれば劣るが、排尿位置の前後に通気溝２１があるため、まったく通気溝２１が無いものに比べて、排尿後の通気性が向上する。
【００４９】
また、図１１に示すように、斜めの通気溝２１は、一方向のみであってもよい（変形例３）。主吸収領域２４は斜め縞状になるため、主吸収領域２４の形状保持力は、図４の斜め格子状に比べると劣る。しかしながら、通気溝２１が斜めに形成されているので、通気溝２１が仮想線Ｐに沿ったものに比べて、吸収体１３が体の動きに追従しやすく、また、よれや切れが起こりにくい。
【００５０】
また、凹部２２は、円形のドットだけでなく、半円形、四辺形、三角形など、様々な形を用いることができる。
【００５１】
加えて、吸収体１３の上に直接、トップシート１４を配したものだけでなく、吸収体１３を親水性シートによってくるんだ後、トップシート１４を配したものであってもよい。また、必要に応じて、トップシート１４と親水性シートとの間、または、親水性シートと吸収体１３との間に、液拡散性を向上させる液拡散シートを設けてもよい。このシートにより、体液はより拡散しやすくなる。また、親水性シートは、吸収体１３をくるむように取り付けられてもよいし、単に、吸収体１３の端部をくるむことなく、表、裏に重ねて配置されたものであってもよい。
【００５２】
なお、図２におけるおむつを着用した下半身姿は、立っている状態を示しているが、本発明は、立って歩行する場合のみを対象とするものではなく、寝返りや赤ちゃんのハイハイなど脚の前後運動全般に対して、作用効果を発揮するものである。
【００５３】
（通気性の評価）
通気溝２１を備える本実施形態のおむつの通気性について、溝を備えない従来のおむつと比較した。
【００５４】
（評価方法）
図１２に示すように、測定器１００は、円筒１０１と、底板１０２と、１７ｍｌの水が注入された水風船１０３と、支持部１０５とからなるものである。円筒１０１は、内径ｄ１が２６ｍｍ、外径ｄ２が３０ｍｍ、高さ７００ｍｍで、底板１０２に垂直に起立するものであり、透明な筒である。底板１０２は、円筒１０１との接合部分は、円筒１０１の内径に沿って同じ径ｄ１で開口１０４を有している。底板１０２は、１００ｍｍ四方である。円筒１０１は、４つの支持部１０５によって底板１０２に対して起立するように固定されている。測定時は、１個あたり１９０ｇの４つのおもり１０６で底板１０２を上から押さえる。
【００５５】
測定は次のように行う。
（１）円筒１０１の内側を食用油で十分にぬらす。
（２）次に、測定器１００を、底板１０２を底として、机や画板等の板の上に載置する。この載置した状態で、円筒１０１の上端（測定時における鉛直方向上に位置する端）から、水風船１０３を円筒１０１内へ投入する。この時、円筒１０１の上端から２５０ｍｍの位置にある測定開始地点Ｑ１から、上端から５５０ｍｍの位置にある測定終了地点Ｑ２までを、水風船１０３が移動するのに要する時間を測定する（ブランク状態での測定）。測定は、測定開始地点Ｑ１、測定終了地点Ｑ２それぞれに設けた光学センサが水風船１０３を検知することにより作動、停止するタイマー等で行う。もしくは、目視によってストップウォッチ等を操作することにより行う。
（３）次に、測定対象のおむつ１０の上に測定器１００を置く。そして、測定板１０２の上におもり１０６を均等に置いて固定する。おもりは着用時における荷重を想定し、おむつのトップシート側からおもりによって荷重を加えることにより、吸収体が高さ方向において多少つぶれることを想定している。
（４）１７ｍｌの水が注入された水風船１０３を食用油に浸し、２秒間油切りをした後、円筒１０１の上端から、水風船１０３を投入する。そして、ブランク状態の測定と同様に、測定開始地点Ｑ１から、測定終了地点Ｑ２までを、水風船１０３が移動するのに要する時間を測定する。
（５）（４）による測定値から（２）のブランク状態での測定値を引いた値を、測定対象のおむつ１０の通気度とする。
【００５６】
水風船１０３が投入された円筒１０１内の空気は、下端の開口１０４から底板１０２の下を通り、外に流れることになるが、おむつ上に載置した場合、おむつが空気の流れの抵抗となって、ブランク状態よりも円筒１０１内の空気の流れがよどむ。加えて、おむつの通気性が悪いほど、円筒１０１内の空気が抵抗となって、水風船１０３の落下に時間を要することとなる。したがって、水風船１０３の落下に要する時間が短いほど、通気性がよいおむつであるといえる。
【００５７】
このような測定方法によって、通気性について、従来の通気溝のないおむつと、図４に示す斜め格子の通気溝が吸収体１３の長手方向に形成されたおむつ１０とを比較した。
【００５８】
表１は各おむつを腹側、股下、背側に分けた各領域、すなわち、図４における前身頃部分Ｍ１、股下部分Ｍ２、後身頃部分Ｍ３の各領域における中央に、測定器１００を設置して測定した結果を示す。
【００５９】
数値は、秒である。
【００６０】
【表１】
2019069379.tif 000003
【００６１】
表１に示すように、通気溝を有する実施形態１のおむつは、前身頃部分、股下部分、背側部分の全ての領域において、従来の通気溝無しのおむつよりも通気度が向上している。
【００６２】
このように、おむつに、トップシートと吸収体とをともに圧搾した通気溝を設けることにより、おむつの全ての領域において、通気性が向上し、排尿後のおむつ内の蒸れやかぶれの発生を抑制する。
【００６３】
また、４つのおもりによる荷重によっても、通気溝はつぶれることなく通気路を確保している。すなわち、本実施形態の通気溝は、着用者の着座時の荷重によってもへたることがない。
【００６４】
なお、本発明が対象とするおむつ１０の構造は、上述したようなパンツ型に限定されるわけではなく、特許請求の範囲に規定された吸収性物品の構成を含むおむつでありさえすれば、どのような構成であってもよい。例えば、周知の展開型の使い捨ておむつや、尿漏れパッドなどであっても本発明を適用可能である。
【００６５】
加えて、本発明は、乳幼児向けのおむつに限らず、成人向けおむつ、尿漏れパッドなど、各種吸収性物品に適用可能である。
【符号の説明】
【００６６】
１０  使い捨ておむつ
１０Ｆ  前身頃領域
１０Ｒ  後身頃領域
１０Ｃ  股下領域
１０Ｗ  ウエスト周り開口部
１０Ｌ  脚周り開口部
１０Ｊ  閉じ合わせ部
１０Ｔ  廃棄テープ
１１  カバーシート
１１Ａ  パッドカバーシート
１１Ｂ  インナーカバーシート
１１Ｃ  アウターカバーシート
１２  バックシート（裏面シート）
１３  吸収体
１４  トップシート（表面シート）
１７  糸ゴム
１８  サイドシート
１９  糸ゴム
２１ａ  第１溝
２１ｂ  第２溝
２２  型崩れ抑制部
１００  測定器
１０１  円筒
１０２  底板
１０３  水風船
【図１】
2019069379.tif 000004
【図２】
2019069379.tif 000005
【図３】
2019069379.tif 000006
【図４】
2019069379.tif 000007
【図５】
2019069379.tif 000008
【図６】
2019069379.tif 000009
【図７】
2019069379.tif 000010
【図８】
2019069379.tif 000011
【図９】
2019069379.tif 000012
【図１０】
2019069379.tif 000013
【図１１】
2019069379.tif 000014
【図１２】
2019069379.tif 000015